(57)【要約】【課題】表面シート上に排出された体液を速やかに吸収体本体に吸収できるようにして体液の漏れを防止する。【解決手段】透液性表面シート３と裏面シート２との間に、吸収体本体５とこの吸収体本体５を囲繞するクレープ紙６とからなる吸収体４が介在されるとともに、前記透液性表面シート３と吸収体４との間に親水性繊維シート７が配置された吸収性物品１において、前記クレープ紙６の拡散速度を前記吸収体本体５の拡散速度よりも大きくする。この場合、好ましくは前記親水性繊維シート７の拡散速度に対するクレープ紙６の拡散速度の比は０．５以上とする。【選択図】図３
2005000566.tif 000002
【特許請求の範囲】
【請求項１】
透液性表面シートと裏面シートとの間に、吸収体本体とこの吸収体本体を囲繞するクレープ紙とからなる吸収体が介在されるとともに、前記透液性表面シートと吸収体との間に親水性繊維シートが配置された吸収性物品において、
前記クレープ紙の拡散速度を前記吸収体本体の拡散速度よりも大きくしたことを特徴とする吸収性物品。
【請求項２】
透液性表面シートと裏面シートとの間に、吸収体本体とこの吸収体本体を囲繞するクレープ紙とからなる吸収体が介在されるとともに、前記透液性表面シートと吸収体との間に親水性繊維シートが配置された吸収性物品において、
前記クレープ紙の拡散速度を０．５ｃｍ３／秒以上としたことを特徴とする吸収性物品。
【請求項３】
前記親水性繊維シートの拡散速度に対するクレープ紙の拡散速度の比が０．５以上である請求項１、２いずれかに記載の吸収性物品。
【請求項４】
前記繊維シートは３．０ｄ以下の極細繊維からなる請求項１〜３いずれかに記載の吸収性物品。
【請求項５】
前記透液性表面シートの裏面側に界面活性剤が１．２０ｇ／ｍ２以上の目付けで塗布されている請求項１〜４いずれかに記載の吸収性物品。
【発明の詳細な説明】
【０００１】
【発明の属する技術分野】
本発明は、主には生理用ナプキン、おりものシート、失禁パッド、医療用パッド、トイレタリー等に使用される吸収性物品であって、詳しくは吸収体本体への体液の移行が速やかに行えるようにした吸収性物品に関する。
【０００２】
【従来の技術】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体本体（吸収体コア）と、この吸収体本体を囲繞するクレープ紙とからなる吸収体を介在したものが知られている。
【０００３】
前記吸収性物品においては、肌に対するドライタッチ感を満足するとともに、体液の吸収速度を速めるために、前記透液性表面シートとして多孔性プラスチックシート（以下、メッシュシートともいう。）を使用し、前記透液性表面シートと吸収体との間にセカンドシートと呼ばれる親水性繊維シートを介在したものが多く提供されている（例えば、下記特許文献１〜３等参照）。
【０００４】
【特許文献１】
特開平７−３２８０６０号公報
【特許文献２】
特開平８−１１７２７７号公報
【特許文献３】
特開平１０−２７２１５２号公報
【０００５】
【発明が解決しようとする課題】
しかしながら、前述した吸収性物品の場合、親水性繊維シートにより速やかに体液は吸収されるので肌に対するドライタッチ感は得られるけれども、その後、吸収体本体を囲繞しているクレープ紙の拡散速度が遅いため下記のような問題が発生していた。
【０００６】
▲１▼経血量が少ない場合、経血は表面シートを通過してクレープ紙まで到達するが、吸収体本体に移行する量は少なく、大部分の経血は吸収体本体に移行するまでの間、クレープ紙上に残ったままとなっている。その結果、使用時の姿勢が横向きなどの場合、経血はクレープ紙上を液流れし、経血がナプキン端部まで到達した後、横漏れが発生することになる。
【０００７】
▲２▼経血量が多い場合、クレープ紙から吸収体本体への移行が少ないため、入ってくる経血の大部分は吸収体本体に移行せず、表面シート又はクレープ紙間に溜まる。そして、入ってくる経血量が表面シート又はクレープ紙間における体液保留量を越えれば、経血は表面シート下に流入することはできず、表面シート上を液流れし、横漏れが発生することになる。
【０００８】
そこで本発明の主たる課題は、クレープ紙の拡散速度物性値を調整することによって、表面シート上に排出された体液を速やかに吸収体本体に吸収できるようにし、体液の漏れを確実に防止することにある。
【０００９】
【課題を解決するための手段】
前記課題を解決するために請求項１に係る本発明として、透液性表面シートと裏面シートとの間に、吸収体本体とこの吸収体本体を囲繞するクレープ紙とからなる吸収体が介在されるとともに、前記透液性表面シートと吸収体との間に親水性繊維シートが配置された吸収性物品において、
前記クレープ紙の拡散速度を前記吸収体本体の拡散速度よりも大きくしたことを特徴とする吸収性物品が提供される。
【００１０】
本発明者等は、親水性繊維シートを有する従来の吸収性物品（ナプキン）について、表面シート、親水性繊維シート、吸収体本体について素材を検討し体液漏れについての実験を行った。しかしながら、これらの素材の拡散速度をいくら速めても、吸収体本体に吸収されるまでの時間にはあまり変化がないことが判明した。その原因について、鋭意検討を重ねた結果、クレープ紙の拡散速度が遅いことが原因しているとの知見を得た。すなわち、従来一般の吸収性物品は、図４に示されるように、親水性繊維シート：拡散速度１．０７ｃｍ３／秒、クレープ紙：０．２５ｃｍ３／秒、パルプ＋ポリマー：０．３８ｃｍ３／秒というように中間のクレープ紙において拡散速度が低くなっている。図中右側の拡散速度勾配図を見ると分かるように、浸透方向の拡散速度勾配ラインがく字状となっているため、このクレープ紙層が体液の吸収を大きく阻害していることが判明した。
【００１１】
そこで、本請求項１記載の本発明では、図３に示されるように、クレープ紙の拡散速度を前記吸収体本体の拡散速度よりも大きくし、図中右側の拡散速度勾配が親水性繊維シートから吸収体本体にかけて傾斜状の勾配となるようにした。その結果、表面シートに排出された体液は、中間のクレープ紙で大きく阻害されることがなくなり、体液が吸収体本体に速やかに吸収されるようになり、体液の漏れが防止されるようになる。
【００１２】
次いで、請求項２に係る本発明として、透液性表面シートと裏面シートとの間に、吸収体本体とこの吸収体本体を囲繞するクレープ紙とからなる吸収体が介在されるとともに、前記透液性表面シートと吸収体との間に親水性繊維シートが配置された吸収性物品において、
前記クレープ紙の拡散速度を０．５ｃｍ３／秒以上としたことを特徴とする吸収性物品が提供される。
【００１３】
上記請求項２記載の本発明においては、クレープ紙の拡散速度を０．５ｃｍ３／秒以上としたため、表面シートに排出された体液は、中間のクレープ紙で大きく阻害されることがなくなり、クレープ紙から吸収体本体へ体液が速やかに移行するようになり体液のモレを防止することができる。
【００１４】
請求項３に係る本発明として、前記親水性繊維シートの拡散速度に対するクレープ紙の拡散速度の比が０．５以上である請求項１、２いずれかに記載の吸収性物品が提供される。
【００１５】
親水性繊維シートからクレープ紙に至る拡散速度勾配が極端に低下することはあまり望ましくないため、クレープ紙の拡散速度が親水性繊維シートの０．５以上の比となるようにクレープ紙の拡散速度を設定するのがよい。
【００１６】
請求項４に係る本発明として、前記親水性繊維シートは３．０ｄ以下の極細繊維からなる請求項１〜３いずれかに記載の吸収性物品が提供される。
【００１７】
請求項５に係る本発明として、前記透液性表面シートは多孔プラスチックフィルムとされ、その裏面側に界面活性剤が１．２０ｇ／ｍ２以上の目付けで塗布されている請求項１〜４いずれかに記載の吸収性物品が提供される。
【００１８】
前記透液性表面シートが多孔プラスチックフィルムである場合、開孔径にもよるが、その疎水性から開孔部から親水性繊維シートに移行しづらい現象が見られる場合がある。そこで、上記請求項５記載の発明では、多孔プラスチックフィルムの裏面側に界面活性剤を１．２０ｇ／ｍ２以上の目付けで塗布し、体液が開孔から親水性繊維シートに移行し易いようにした。
【００１９】
【発明の実施の形態】
以下、本発明の実施の形態について図面を参照しながら詳述する。図１は本発明に係る生理用ナプキン１の一部破断斜視図である。
【００２０】
前記生理用ナプキン１は、主にはパンティライナー、生理用ナプキン、おりものシート、失禁パッドなどの用途に供されるもので、例えば図１に示されるように、不透液性裏面シート２と、透液性表面シート３との間に、面状パルプ等からなる吸収体本体５とこれを囲繞するクレープ紙６とからなる吸収体４が介在されるとともに、前記透液性表面シート３と吸収体４との間に、装着感の向上および外面側の隠蔽性を向上するため親水性繊維シート７を配置した構造となっている。前記吸収体４の周囲においては、前記不透液性裏面シート２と透液性表面シート３とがホットメルト接着剤等の接着手段によって接合されている。
【００２１】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２２】
前記透液性表面シート３は、無孔または有孔の不織布または多孔性プラスチックシートなどが好適に用いられるが、本生理用ナプキン１に好適に使用される表面シートは多孔性プラスチックシートである。
【００２３】
前記不織布の素材としては、たとえばポリエチレンまたはポリプロピレン等のオレフィン系、ポリエステル系、ポリアミド系等の合成繊維の他、レーヨンやキュプラ等の再生繊維、綿等の天然繊維とすることができる。また、融点の高い繊維を芯とし融点の低い繊維を鞘とした芯鞘型繊維やサイド−バイ−サイド型繊維、分割型繊維等の複合繊維を好適に用いることもできる。加工法については、スパンレース法、スパンボンド法、サーマルボンド法、メルトブローン法、ニードルパンチ法、エアレイド法等の適宜の加工法によって得られた不織布を用いることができる。これらの加工法の内、スパンレース法は柔軟性、ドレープ性に富む点で優れ、サーマルボンド法は嵩高でソフトである点で優れている。
【００２４】
前記多孔性プラスチックシートの素材としては、例えばポリエチレン、ポリプロピレン等のオレフィン系樹脂が好適に使用されるが、ポリエステルや、ナイロンなどのポリアミド系樹脂、ＥＶＡなども使用することができる。この多孔プラスチック表面シート３の開孔３ａ、３ａ…の径は、０．０５〜３．０ｍｍ、好ましくは０．１〜２．０ｍｍ、より好ましくは０．５〜１．５ｍｍとし、その開孔数は１００〜５００個／ｃｍ２、好ましくは２００〜４００個／ｃｍ２程度とするのが望ましい。前記開孔３ａを形成するには、合成樹脂シートを軟化温度付近に軟化させて、多数の開孔を有する支持体の上面に位置させた状態で、支持体の下方から吸引したり、支持体の上面から空気圧を加圧したりする方法や、合成樹脂シート素材に多数のスリットを刻印した後にシート素材を延伸して開孔させる方法などがあるが、適宜の方法によって形成することができる。
【００２５】
また、前記多孔プラスチック表面シート３の場合には、開孔径にもよるが、その疎水性から開孔部から親水性繊維シート７に移行しづらい現象が見られる場合がある。そこで、多孔プラスチックシート３の裏面側に界面活性剤を１．２０ｇ／ｍ２以上の目付けで塗布し、体液が開孔３ａから親水性繊維シート７に移行し易いようにするのが望ましい。
【００２６】
一方、前記不透液性裏面シート２と透液性表面シート３との間に介在される吸収体４を構成する吸収体本体５は、たとえばパルプ中に高吸水性樹脂を混入したもの、或いはパルプ中に化学繊維を混入させるとともに、高吸水性樹脂を混入したものが使用される。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２７】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。前記吸収体本体５の平面形状は、図示されるように、小判状としてもよいし、或いは股間部への当たりを和らげるためにフィットカット形状（ひょうたん形状）としてもよい。
【００２８】
前記吸収体本体５の拡散速度は、特に限定されないが一般的な範囲として０．２〜１．０ｃｍ３／秒であるものが使用される。拡散速度が０．２ｃｍ３／秒未満の場合には吸収体がほとんど体液を吸収しない状態となり好ましくない。また、拡散速度が１．０ｃｍ３／秒を超える場合には、ほとんどの場合、吸収体本体内の隙間が原因で拡散速度は速くなっているが、隙間が多すぎることでべた付き等の問題が発生するようになり好ましくない。前記拡散速度は、下記の手順によって測定されるものである。なお、親水性繊維シート７及びクレープ紙６についても同様の試験によって拡散速度が求められる。
【００２９】
▲１▼１０枚重ねたクレープ紙（面積：５０ｍｍ×５０ｍｍ）を測定用サンプルとして用いる。
▲２▼馬血を入れたシャーレに１０ｍｍ上から測定用サンプルを落下し、クレープ紙が馬血を吸収し始めてから終わるまでの時間を拡散時間として測定する。
▲３▼下式（１）により拡散速度を求める。
【００３０】
【数１】
2005000566.tif 000003
【００３１】
一方、前記吸収体４を構成するクレープ紙６は、本発明に従って前記吸収体本体５の拡散速度よりも大きいものが使用される。クレープ紙６の拡散速度は、目付け、クレープ加工（皺加工）する際のクレープ率、クレープ加工する際のドクター角度等の各因子によって決定される物性値である。
【００３２】
クレープ加工は、図６に示されるように、抄紙過程で乾燥ドライヤー１０から抄紙をドクターブレード１２で剥がし、クレープ（皺）を付けながらリール１１に巻き取ることによって達成されるが、クレープ率がクレープの程度に大きく影響する。前記クレープ率とは、前記ドライヤーでの送り速度に対する前記ドライヤー部とリール部との速度差の比率（％）であり下式（２）によって表される。このクレープ率は１７％以上とするのがよい。また、ドクター角度とは前記ドクターブレード１２の乾燥ドライヤー１０に対する接触角度であり、クレープの細かさに影響する。
【００３３】
【数２】
2005000566.tif 000004
【００３４】
これら各因子の拡散速度に対する定量的な影響度については未だ不明点はあるが、これらの因子を調整することによって所望の拡散速度を有するクレープ紙を得ることが可能である。
【００３５】
現時点では、前記拡散速度の関連因子の中でも、特に前記クレープ率との相関性が高いことが本発明者等の実験により明らかとなっている。図５は縦軸を拡散速度（ｃｍ３／秒）とし、横軸をクレープ率（％）とした場合の相関図であるが、相関係数はＲ２＝０．８８６となり、拡散速度とクレープ率との間には高い相関性が見られる。クレープ率を増加させると拡散速度が速くなる理由については、クレープ率を増やすとクレープが嵩高くなり、嵩高となった分、クレープ紙の単位面積当たりの表面積が増加し、その結果、単位面積当たりの吸収量が増加する。吸収量が増加することで、以前は吸収しきれずに拡散していた経血を吸収できるようになるため、拡散に要していた時間が減少する。そして、拡散する時間が少なくなることで拡散速度が速くなる、ものと推察される。
【００３６】
クレープ紙６の拡散速度を前記吸収体本体５の拡散速度よりも大きくすることにより、図３に示されるように、拡散速度勾配が親水性繊維シート７から吸収体本体５にかけて傾斜状の勾配となるため、表面シート３に排出された体液は、中間のクレープ紙６で大きく阻害されることがなくなり、体液が吸収体本体５に速やかに吸収されるようになり、体液の漏れが防止されるようになる。
【００３７】
前記クレープ紙６の拡散速度は、目安として０．５ｃｍ３／秒以上、好ましくは０．６０ｃｍ３／秒以上であれば、該クレープ層６において体液の通過を大きく阻害することがなくなり、クレープ紙から吸収体本体へ体液が速やかに移行させることが可能となる。
【００３８】
また、親水性繊維シート７から吸収体本体５にかけての拡散速度勾配は、傾斜状の勾配となることが望ましいのが前述の通りであるが、親水性繊維シート７からクレープ紙６に至る拡散速度勾配が極端に低下することはあまり望ましくないため、クレープ紙６の拡散速度が親水性繊維シート７の０．５以上の比となるようにクレープ紙６の拡散速度を設定するのがよい。
【００３９】
他方、前記透液性表面シート３と吸収体４との間に配置される親水性繊維シート７は、前記透液性表面シート３上に排出された体液を移行させるために使用される。この親水性繊維シート７としては、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることにより親水性を有するようにする。
【００４０】
前記親水性繊維シート７の拡散速度は、前記クレープ紙６、吸収体本体５を含む群の中で最も高いものとするのが望ましい。表面シート３を透過した体液が吸収体本体５に至る過程で最初の通過層となるため、この親水性繊維シート７で可能な限りの拡散を果たすことが望ましい。具体的には、０．７ｃｍ３／秒以上、好ましくは１．０ｃｍ３／以上、より好ましくは２．０ｃｍ３／以上の拡散速度とするのが望ましい。
【００４１】
また、体液の逆戻りの原因の一つとして前記親水性繊維シート７の繊維間の微小空間に体液が保留され、圧力を受けた際にこの体液が表面シート３側に移行することが挙げられる。従って、前記親水性繊維シート７の繊維間空間を微小化するために３．０ｄ以下、好ましくは２．５ｄの極細繊維からなる繊維層とすることにより体液の逆戻り防止を図るようにするのが望ましい。
【００４２】
【実施例】
クレープ紙６の拡散速度を種々変化させた場合のサンプルを複数用意し、これらサンプルに対して横漏れ発生までの人工血液量、繰り返しの吸収スピードについて評価を行った。その結果を下表１に示す。なお、評価は○、△、×の３段階評価とした。
【００４３】
【表１】
2005000566.tif 000005
【００４４】
上記表１から、クレープ紙の拡散速度を吸収体本体の拡散速度よりも大きくした実施例１〜４の場合には、横漏れ発生までの人工血液量を４０ｃｃまで増量でき、漏れ防止効果が高いことが分かる。また、繰り返しの吸収スピード（秒）についても本実施例に係るものは吸収体本体まで速やかに体液が吸収されるため、繰り返し吸収性能についても優れたものとなっている。
【００４５】
【発明の効果】
以上詳説のとおり本発明によれば、特にはクレープ紙から吸収体本体への体液の移行を速やかに行うことにより、表面シート上に排出された体液を速やかに吸収体本体に吸収できるようになり、体液の漏れを効果的に防止することができるようになる。
【図面の簡単な説明】
【図１】本発明に係る生理用ナプキン１の一部破断斜視図である。
【図２】その横断面図（図１のＩＩ−ＩＩ線矢視）である。
【図３】本発明に係る吸収性物品の層構成および拡散速度勾配例を示す図である。
【図４】従来の吸収性物品の層構成および拡散速度勾配例を示す図である。
【図５】クレープ率と拡散速度の関係を示すグラフである。
【図６】クレープ加工要領を示す図である。
【符号の説明】
１…生理用ナプキン、２…不透液性裏面シート、３…透液性表面シート、４…吸収体、５…吸収体本体、６…クレープ紙、７…親水性繊維シート
【図１】
2005000566.tif 000006
【図２】
2005000566.tif 000007
【図３】
2005000566.tif 000008
【図４】
2005000566.tif 000009
【図５】
2005000566.tif 000010
【図６】
2005000566.tif 000011